(57)【特許請求の範囲】
【請求項１】
電子写真装置に使用される部品の被帯電面または被除電面に当接するブラシ毛を備えたブラシ装置であって、
矩形状の基布より立毛する複数本のブラシ毛を有するブラシ部と、
前記ブラシ部を貼り付けた金属板と、この金属板の長手方向に沿って配され、かつ、短手方向に延設された取付板とを有し、
前記金属板上の前記ブラシ部の短手方向両側から前記ブラシ毛を絞り込む一対の左右絞込み部材とより構成され、
前記左絞込み部材は、前記金属板の裏面で係合し、
前記右絞込み部材は、前記取付板と係合している
ことを特徴とするブラシ装置。
【請求項２】
電子写真装置に使用される部品の被帯電面または被除電面に当接するブラシ毛を備えたブラシ装置であって、
前記複数本のブラシ毛を束ねたブラシ部の基布を金属板の右側に長手方向に沿って取付け、前記金属板の左側を前記ブラシ部側に折曲して前記ブラシ部が右側に寝るように挟み込んで絞り込み、前記ブラシ部の先端部が前記折曲された金属板の右側から突出している  ことを特徴とするブラシ装置。
【請求項３】
前記電子写真装置に使用される部品が、一次帯電部分を除く感光体、転写体、または、中間転写体である
ことを特徴とする請求項１または２記載のブラシ装置。
【請求項４】
前記ブラシ部の少なくとも一側部において絶縁性フィルム、導電性フィルム、または、導電性コーティングフィルムを長手方向に沿って設けた
ことを特徴とする請求項１または２記載のブラシ装置。
【発明の詳細な説明】
【発明の属する技術分野】
本発明は、複写機、プリンタ等の画像形成を行う電子写真装置における帯電または除電を行うブラシ装置に関するものである。
【従来の技術】
従来より、電子写真装置における感光体、転写体または中間転写体に使用される帯電または除電を行うブラシ装置としては、種々提案されている。
例えば、ブラシ部分のばらけ防止のために押え板をそのブラシ部分の周囲に設けたブラシ装置（特開平４−２７４４６４号等）、ブラシ部分を保持糸によって収束保持したブラシ装置（特開平６−３０１２７０号）、ブラシ部分を誘電体シートで囲繞したブラシ装置（特開平６−３０１２７１号）が提案されている。
【発明が解決しようとする課題】
押え板をブラシ部分に設ける第１のブラシ装置においては、この押え板によってブラシ部分の位置精度を規制することができるが、特定位置のみを帯電または除電するには至らなかった。すなわち、このブラシ部分の植毛の密度は、基布に植毛されたブラシ毛の密度によって決定され、これ以上高い密度でブラシ毛を植毛することは難しかった。そのため、特定位置のみにブラシ部分を当てることは難しかった。
一方、保持糸や誘電シートでブラシ部分を保持した第２，３のブラシ装置については、ブラシ部分の幅を狭く作ることは可能であるので特定位置のみを帯電または除電することはできる。しかしながら、このように幅の狭い状態でブラシ部分を作ることが難しく、また、その精度の安定性に欠けていた。
そこで本発明は上記問題点に鑑み、特定位置のみを帯電または除電させることができるブラシ装置を提供するものである。
【課題を解決するための手段】
本発明の請求項１のブラシ装置は、電子写真装置に使用される部品の被帯電面または被除電面に当接するブラシ毛を備えたブラシ装置であって、矩形状の基布より立毛する複数本のブラシ毛を有するブラシ部と、前記ブラシ部を貼り付けた金属板と、この金属板の長手方向に沿って配され、かつ、短手方向に延設された取付板とを有し、前記金属板上の前記ブラシ部の短手方向両側から前記ブラシ毛を絞り込む一対の左右絞込み部材とより構成され、前記左絞込み部材は、前記金属板の裏面で係合し、前記右絞込み部材は、前記取付板と係合しているものである。
請求項２のブラシ装置は、電子写真装置に使用される部品の被帯電面または被除電面に当接するブラシ毛を備えたブラシ装置であって、前記複数本のブラシ毛を束ねたブラシ部の基布を金属板の右側に長手方向に沿って取付け、前記金属板の左側を前記ブラシ部側に折曲して前記ブラシ部が右側に寝るように挟み込んで絞り込み、前記ブラシ部の先端部が前記折曲された金属板の右側から突出しているものである。
請求項３のブラシ装置は、請求項１または２のものにおいて、前記電子写真装置に使用される部品が、一次帯電部分を除く感光体、転写体、または、中間転写体である。
請求項４のブラシ装置は、請求項１または２のものにおいて、前記ブラシ部の少なくとも一側部において絶縁性フィルム、導電性フィルム、または、導電性コーティングフィルムを長手方向に沿って設けたものである。
【作  用】
請求項１及び２のブラシ装置においては、その製造方法が容易である。
請求項３のブラシ装置においては、このブラシ装置を感光体、転写体または中間転写体の被帯電面または被除電面に当接することによって、その特定位置のみを帯電または除電させることができる。
請求項４のブラシ装置であると、ブラシ部の少なくとも一側部において、絶縁フィルム、導電性フィルムまたは導電性コーティングフィルムを長さ方向に沿って設けているため、ブラシ部が長手方向に沿って均一に帯電または除電することができる。
【発明の実施の形態】
以下、本発明のブラシ装置の実施例を順番に説明していく。なお、これらブラシ装置の使用状態については後から説明する。
（１）ブラシ装置１０の構造
（第１の実施例）
第１の実施例のブラシ装置１０について、図１〜図５に基づいて説明する。
図１は、ブラシ装置１０の組立てた状態の斜視図であり、図２は分解斜視図である。
まず、ブラシ部１２の構造について説明する。
ブラシ部１２を構成するブラシ毛１４の材料としては、導電性カーボン粉末を全重量に対して１２ｗｔ％含有した電気抵抗率約１×１０5 Ω・ｃｍの６デニールのレーヨン繊維を採用している。この繊維を厚さ０．５ｍｍの基布１６にＷ織を用いて折込み、使用する感光体等の幅に応じて長さＬを決め、幅Ｗ＝５ｍｍ、高さｈ＝５ｍｍ〜７ｍｍとする。また、繊維密度は、１５，０００本／ｃｍ2 である。この基布１６の裏面に導電性接着剤をコーティングし、該接着剤にて基布１６を厚さ１ｍｍのアルミニウム製金属板１８に固定している。
この金属板１８の一側部より、取付板２０が長さ方向に沿って延設されている。
この金属板１８と一体となったブラシ部１２を、一対の左右絞込み部材２２，２４によって、左右から挟んで取付けている。なお、本明細書における左右とは、図５の縦断面図の左右を基準にしている。
まず、左絞込み部材２２について説明する。
この左絞込み部材２２は、金属板１８の裏面を覆う基部２６と、ブラシ部の左側に配される左絞込み部２８よりなる。この左絞込み部２８は、図５の拡大縦断面図で示すように、傾斜面３０を有している。また、左絞込み部材２２の基部２６より爪片３８が複数突出し、これに対応する金属板１８に孔４０が開口している。
次に、右絞込み部材２４について説明する。
この右絞込み部材２４は、右絞込み部３４と、これより斜めに突出した固定部３２とよりなる。この右絞込み部３４は、図５の縦断面図に示すように傾斜面３６を有している。そして、右絞込み部２８と右絞込み部３４とよりブラシ部１２を挟むことにより、ブラシ部１２が狭く絞り込まれる。
次に、このブラシ装置１０の組立て方法について説明する。
前記したようにブラシ部１２と金属板１８，取付板２０を一体にした後、左絞込み部材２２，右絞込み部材２４を、ブラシ部１２の左右から挟込む。この場合に、左絞込み部材２２の基部２６より突出した爪片３８を金属板１８の孔４０に嵌め込むことによって左絞込み部材２２を金属板１８に固定する。一方、右絞込み部材２４の固定部３２に対し、取付板２０を沿わせ、両者をネジ４２によって固定する。
これにより、ブラシ部１２は、その中央部分まで右絞込み部２８と左絞込み部３４の左右傾斜面３０，３６によって狭く絞込まれて略台形状になり、それより上に位置するブラシ部１２の先端部が、略垂直に立ち上がる状態となる。この結果、ブラシ部１２の先端部は、その根元部分よりも狭く絞込まれることによりブラシ毛の密度、すなわち、繊維密度が高くなる。なお、この狭く絞込まれているブラシ部１２の幅が、１ｍｍ〜３ｍｍとする。
このようにブラシ部１２の先端部を狭く絞込むとともに、その先端部を立上げることによって、ブラシ部１２の繊維密度を高くするとともに、特定位置のみを接触できる状態となる。
また、ブラシ部１２の前後の端部は、図３及び図４に示されるように、ブラシ部１２の前後端部が絞り込まれる。
これにより、前後方向（すなわち、長さ方向）においても、ブラシ部１２が狭く絞込まれており、前後の端部の処理の精度を上げることができるとともに繊維密度が高くなり、前後端部の圧力低下を補正することができる。
（第２の実施例）
次に、図６に基づいて第２の実施例について説明する。
本実施例と第１の実施例の異なる点は、右絞込み部材２４の固定部３２の角度にある。すなわち、第１の実施例では固定部３２が左絞込み部３４に対し、斜めに延設されていたが、本実施例は直角に延設したものである。
この角度の違いは、取付ける電子写真装置の状態によって変更すればよい。
（第３の実施例）
次に、第３の実施例を図７に基づいて説明する。
本実施例と第１の実施例の異なる点は、一対の左右絞込み部材２２，２４の構造にある。
すなわち、左右絞込み部材２２，２４によって、金属板１８及び取付板２０を全て覆うような構造とし、また、左絞込み部材２２に爪片４４を設けるとともにこれに対応する右絞込み部材２４に孔４６を設ける。さらに、押え片４８を右絞込み部材２４の中央部から水平に突出させ、この押え片４８によって金属板１８を支持する。これによって、ブラシ部１２を左右絞込み部材２２，２４によって挟み込んだ後、爪片４４を孔４６に嵌合させることによって、両部材２２，２４を固定するものである。
（第４の実施例）
次に、図８に基づいて第４の実施例について説明する。
左右絞込み部材２２，２４によって、金属板１８及び取付板２０を全て覆うような構造とし、また、左絞込み部材２２に爪片４４を設けるとともにこれに対応する右絞込み部材２４に孔４６を設ける。また、爪片３８を右絞込み部材２４の縦部材２５に設け、これに対応する孔４０を取付け板２０に設けている。さらに、押え片４８を左絞込み部材２２の中央部から水平に突出させ、この押え片４８によって金属板１８を支持する。
（第５の実施例）
次に、図９に基づいて第５の実施例について説明する。
本実施例と第１の実施例の異なる点は、ブラシ部１２の絞込み方にある。すなわち、図９に示すように、ブラシ部１２のブラシ毛を中央部に絞込むのでなく、左側に寄せて狭く絞込んだ形状となっている。
（第６の実施例）
次に、図１０に基づいて第６の実施例について説明する。
本実施例と第５の実施例の異なる点は、ブラシ部１２の絞込み方にある。すなわち、図１０に示すように本実施例では、ブラシ部１２を金属板１８に沿って寝かせて、ブラシ部１２の先端部を左側から突出させる構造となっている。このように寝かせて絞り込む方法であっても、ブラシ部１２の先端部の繊維密度は、基布１６における繊維密度より高くすることができる。
（第７の実施例）
次に、図１１に基づいて第７の実施例について説明する。
本実施例は、第５の実施例の変形例であり、第５の実施例のように一対の左右絞込み部材２２，２４でブラシ部１２を挟み込む形でなく、１枚の金属製の固定板５０を図１１に示すように挟み込むようにして形成するものである。この方法であると、容易にブラシ装置１０を形成することができる。
（第８の実施例）
次に、図１２に基づいて第８の実施例について説明する。
本実施例は、第６の実施例の変形例であり、一対の左右絞込み部材２２，２４に代えて、１枚の金属製の固定板５２でブラシ部１２を挟み込む形にしたものである。
このような方法であっても、ブラシ装置１０を容易に製造することができる。
（第１〜第８の実施例の変更例）
上記実施例では、左右絞込み部材２２，２４及び固定板５０，５２でブラシ部１２を直接挟込んでいたが、これに代えて、ブラシ部１２の側部を長さ方向に沿ってフィルムで覆った後、左右絞込み部材２２，２４で挟込む。
フィルムとしては、絶縁性フィルム、導電性フィルム及び導電性コーティングフィルムがあり、このフィルムによってブラシ部１２の長さ方向の帯電性能が均一となる。
絶縁性フィルムの種類としては、厚さ０．１ｍｍのＰＥＴフィルム、厚さ０．１３ｍｍのダイアラミフィルムが適当である。また、導電性フィルムとしては、体積抵抗が１０4 Ω・ｃｍの導電性ポリイミドフィルム（ポリイミドにカーボンを混入したもの）を使用した。さらに、導電性コーティングフィルムとしては、ＥＬＣＯＭＴＬ（金属製酸化物コーティング）のフィルムが適当であり、表面抵抗としては１０3 〜１０10Ωである。なお、この表面抵抗の絶対値は多少上下してもよいが、ブラシ装置１０における斑が極力少ない方がよい。また、ビデオフィルムを使用してもよい。
（２）ブラシ装置１０の使用状態
次に、ブラシ装置１０の使用状態について説明する。なお、上記第１から第８のいづれの実施例を使用してもよい。
（第１の使用状態）
図１３に示すように、電子写真装置の１つであるプリンタ１３０において、感光体５４に当接するもので、一次帯電を除くブラシ帯電またはブラシ除電に用いる。すなわち、図１３に示すブラシ装置１０の使用方法は、クリーナーレス用またはＥＲレス用ブラシ装置として使用している。
（第２の使用状態）
図１４の装置は、カラープリンタ１４０であって、この装置においては、転写ベルト５４の上に用紙５６を吸着させるため、用紙５６の上からブラシ帯電または除電を行うためのブラシ装置１０として使用するものである。
（第３の使用状態）
図１５の装置は、プリンタ１５０であって、この装置においてはベルト１５２の内側または外側から当接して、ブラシ帯電またはブラシ除電を行うためのブラシ装置１０として使用するものである。
（第４の使用状態）
図１６に示すように、カラープリンタ１６０において、転写ドラム６０の内側にブラシ装置１０を設けてブラシ帯電またはブラシ除電を行うものである。
（その他の使用状態）
その他の使用方法としては、中間転写ドラムの内側からブラシ装置１０を当接する方法や、用紙の裏からブラシ部１２を直接当接させる転写ブラシ装置として使用してもよい。
【発明の効果】
以上により本発明のブラシ装置であると、ブラシ装置を容易に製造することができる。
【図面の簡単な説明】
【図１】  第１の実施例のブラシ装置の組立てた状態の斜視図である。
【図２】  第１の実施例のブラシ装置の分解斜視図である。
【図３】  同じく前後端部の一部拡大底面図である。
【図４】  同じく前後端部の一部拡大横断面図である。
【図５】  同じく拡大縦断面図である。
【図６】  第２の実施例のブラシ装置の拡大縦断面図である。
【図７】  第３の実施例のブラシ装置の拡大縦断面図である。
【図８】  第４の実施例のブラシ装置の拡大縦断面図である。
【図９】  第５の実施例のブラシ装置の拡大縦断面図である。
【図１０】  第６の実施例のブラシ装置の拡大縦断面図である。
【図１１】  第７の実施例のブラシ装置における押え部材の折曲げる前と折曲げた後の拡大縦断面図である。
【図１２】  第８の実施例のブラシ装置における押え部材の折曲げる前と折曲げた後の拡大縦断面図である。
【図１３】  ブラシ装置の第１の使用状態を示す説明図である。
【図１４】  第２の使用状態を示す説明図である。
【図１５】  第３の使用状態の説明図である。
【図１６】  第４の使用状態の説明図である。
【符号の説明】
１０    ブラシ装置
１２    ブラシ部
１４    ブラシ毛
１６    基布
１８    金属板
２０    取付板
２２    左絞込み部材
２４    右絞込み部材
【図１】
0003674208.tif 000002
【図２】
0003674208.tif 000003
【図３】
0003674208.tif 000004
【図４】
0003674208.tif 000005
【図５】
0003674208.tif 000006
【図６】
0003674208.tif 000007
【図７】
0003674208.tif 000008
【図８】
0003674208.tif 000009
【図９】
0003674208.tif 000010
【図１０】
0003674208.tif 000011
【図１１】
0003674208.tif 000012
【図１２】
0003674208.tif 000013
【図１３】
0003674208.tif 000014
【図１４】
0003674208.tif 000015
【図１５】
0003674208.tif 000016
【図１６】
0003674208.tif 000017